(57)【要約】      （修正有）【課題】熱収縮性筒状ラベルの外面に指を押し当て、指をずらすことによって破断する熱収縮性筒状ラベルが装着されている筒状ラベル付き容器を提供する。【解決手段】ミシン目４を有する熱収縮性筒状ラベルが容器に熱収縮装着されている筒状ラベル付き容器において、前記ミシン目４が、複数の孔部４１と不切り部４２が交互に配置されて所定方向に延びる線からなり、前記孔部４１を形成する周縁部が、前記孔部４１の重心を通り且つミシン目４の延線方向で向かい合う第１縁部５１及び第２縁部５２と、前記孔部４１の重心を通り且つ前記延線方向と直交する方向で向かい合う第３縁部５３及び第４縁部５４と、を有し、前記第３縁部５３及び第４縁部５４の各肉厚が、前記第１縁部５１及び第２縁部５２の各肉厚よりも大きく、前記第３縁部５３及び第４縁部５４が、湾曲しつつ外側に突出されている。【選択図】図２
2020050431.tif 000002
【特許請求の範囲】
【請求項１】
ミシン目を有する熱収縮性筒状ラベルが容器に熱収縮装着されている筒状ラベル付き容器において、
前記ミシン目が、複数の孔部と不切り部が交互に配置されて所定方向に延びる線からなり、
前記孔部を形成する周縁部が、前記孔部の重心を通り且つミシン目の延線方向で向かい合う第１縁部及び第２縁部と、前記孔部の重心を通り且つ前記延線方向と直交する方向で向かい合う第３縁部及び第４縁部と、を有し、
前記第３縁部及び第４縁部の各肉厚が、前記第１縁部及び第２縁部の各肉厚よりも大きく、
前記第３縁部及び第４縁部が、湾曲しつつ外側又は内側に突出されている、筒状ラベル付き容器。
【請求項２】
前記第１縁部及び第２縁部の各肉厚が、それぞれ前記不切り部の肉厚と略同じとされている、請求項１に記載の筒状ラベル付き容器。
【請求項３】
前記孔部を形成する周縁部が、前記第１縁部及び第２縁部と第３縁部及び第４縁部との間に連なった連設縁部を有し、
前記各連設縁部が、湾曲しつつ第３縁部及び第４縁部と同じ側に突出され、その湾曲度合い及び突出量が前記第１縁部及び第２縁部に向かうに従って漸減されている、請求項１または２に記載の筒状ラベル付き容器。
【請求項４】
前記各連設縁部の肉厚が、前記第１縁部及び第２縁部に向かうに従って漸減されている、請求項１または２に記載の筒状ラベル付き容器。
【請求項５】
前記ミシン目が、前記熱収縮性筒状ラベルの主熱収縮方向と直交する方向である、縦方向に延設されており、前記複数の孔部が、縦方向を長軸とする略楕円形状である、請求項１乃至４のいずれか１項に記載の筒状ラベル付き容器。
【発明の詳細な説明】
【技術分野】
【０００１】
本発明は、熱収縮性筒状ラベルが装着された筒状ラベル付き容器に関する。
【背景技術】
【０００２】
従来、様々な容器に、熱収縮性筒状ラベルが装着されている。熱収縮性筒状ラベルは、加熱することによって収縮し、容器に密着装着できるラベルであり、シュリンクフィルムやシュリンクチューブなどとも呼ばれている。
熱収縮性筒状ラベルと容器を分離するために、通常、熱収縮性筒状ラベルには、ミシン目が形成されている。
例えば、特許文献１には、線状に並んだ略円形状の貫通孔又は薄膜面部である凹陥の列と、前記凹陥の列に沿ってその両側に連続又は断続して延在する堤状厚肉部とを有する切取り線（ミシン目）が形成された熱収縮性筒状ラベルが開示されている。
かかる熱収縮性筒状ラベルが熱収縮装着されたラベル付き容器にあっては、熱収縮性筒状ラベルの上端部を摘んで引き出すことにより、前記切り取り線に沿って綺麗にラベルを破断することができる。
【先行技術文献】
【特許文献】
【０００３】
【特許文献１】特開２００２−１７９０２９号公報
【発明の概要】
【０００４】
従来の筒状ラベル付き容器は、熱収縮性筒状ラベルの上端部又は下端部を摘んで引き出すことにより、ミシン目に沿ってラベルを破断できるものである。
しかしながら、熱収縮性筒状ラベルは容器に密着しているので、端部を指先で摘むことが困難な場合がある。
この点、熱収縮性筒状ラベルの外面に指を押し当て、指をずらすことによって熱収縮性筒状ラベルが破断すれば、熱収縮性筒状ラベルと容器を容易に分離できる。
【発明が解決しようとする課題】
【０００５】
本発明の目的は、熱収縮性筒状ラベルの上端部又は下端部を摘んで引き出して破断するだけでなく、熱収縮性筒状ラベルの外面に指を押し当て、指をずらすことによって破断する熱収縮性筒状ラベルが装着されている筒状ラベル付き容器を提供することである。
【課題を解決するための手段】
【０００６】
本発明の筒状ラベル付き容器は、ミシン目を有する熱収縮性筒状ラベルが容器に熱収縮装着されている筒状ラベル付き容器において、前記ミシン目が、複数の孔部と不切り部が交互に配置されて所定方向に延びる線からなり、前記孔部を形成する周縁部が、前記孔部の重心を通り且つミシン目の延線方向で向かい合う第１縁部及び第２縁部と、前記孔部の重心を通り且つ前記延線方向と直交する方向で向かい合う第３縁部及び第４縁部と、を有し、前記第３縁部及び第４縁部の各肉厚が、前記第１縁部及び第２縁部の各肉厚よりも大きく、前記第３縁部及び第４縁部が、湾曲しつつ外側又は内側に突出されている。
【０００７】
本発明の好ましい筒状ラベル付き容器は、前記第１縁部及び第２縁部の各肉厚が、それぞれ前記不切り部の肉厚と略同じとされている。
本発明の好ましい筒状ラベル付き容器は、前記孔部を形成する周縁部が、前記第１縁部及び第２縁部と第３縁部及び第４縁部との間に連なった連設縁部を有し、前記各連設縁部が、湾曲しつつ第３縁部及び第４縁部と同じ側に突出され、その湾曲度合い及び突出量が前記第１縁部及び第２縁部に向かうに従って漸減されている。
本発明の好ましい筒状ラベル付き容器は、前記各連設縁部の肉厚が、前記第１縁部及び第２縁部に向かうに従って漸減されている。
本発明の好ましい筒状ラベル付き容器は、前記ミシン目が、前記熱収縮性筒状ラベルの主熱収縮方向と直交する方向である、縦方向に延設されており、前記複数の孔部が、縦方向を長軸とする略楕円形状である。
【発明の効果】
【０００８】
本発明の筒状ラベル付き容器は、熱収縮性筒状ラベルの外面に指を押し当て、指をずらすことによって、ミシン目に沿って熱収縮性筒状ラベルを簡単に破断させることができる。かかる筒状ラベル付き容器は、熱収縮性筒状ラベルの開封性に優れ、お年寄りや子供などでも簡易に熱収縮性筒状ラベルを容器から分離できる。
【図面の簡単な説明】
【０００９】
【図１】１つの実施形態に係る筒状ラベル付き容器の正面図。
【図２】図１のＩＩ−ＩＩ’部の拡大正面図。
【図３】図２のＩＩＩ−ＩＩＩ線で切断し且つ更に拡大した断面図。
【図４】図２のＩＶ−ＩＶ線で切断し且つ更に拡大した断面図。
【図５】図２のＶ−Ｖ線で切断し且つ更に拡大した断面図。
【図６】第１乃至第４縁部及び連設縁部の位置関係を説明するための参考図。
【図７】容器装着前の熱収縮性筒状ラベルを示す正面図。
【図８】図７のＶＩＩＩ−ＶＩＩＩ線で切断した断面図。
【図９】図７のＩＸ−ＩＸ’部の拡大正面図。
【図１０】図９のＸ−Ｘ線で切断し且つ更に拡大した断面図。
【図１１】筒状ラベル付き容器の熱収縮性筒状ラベルを開封した状態を示す正面図。
【図１２】変形例に係る筒状ラベル付き容器の正面図。
【図１３】孔部を形成する周縁部（第３縁部及び第４縁部）の変形例を示す断面図。
【発明を実施するための形態】
【００１０】
以下、本発明の具体的な実施態様について適宜図面を参照しつつ説明する。
本明細書において、縦方向は、熱収縮性筒状ラベルを筒状に開いた状態で、その軸方向を指し、横方向は、前記縦方向と直交する方向を指す。横方向は、熱収縮性筒状ラベルを筒状に開いた状態で、その周方向（主熱収縮方向）に相当する。
「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
なお、各図の具体的な寸法及び縮尺比は、実際のものとは異なっていることに留意されたい。
【００１１】
［筒状ラベル付き容器］
図１において、本発明の筒状ラベル付き容器１は、容器２と、前記容器２に熱収縮により装着され且つミシン目４を有する熱収縮性筒状ラベル３と、を有する。
本発明の筒状ラベル付き容器１は、熱収縮性筒状ラベル３の外面に指を押し当て、指をずらすことによって熱収縮性筒状ラベル３を破断（開封）できる。以下、このような方法で熱収縮性筒状ラベル３を破断させて開封することを「スライド開封」という場合がある。
【００１２】
主熱収縮方向である周方向に熱収縮することによって装着された熱収縮性筒状ラベル３は、容器２の外面に密着されている。
容器２は、内容物を収納する胴部２１と、注出口を開閉するキャップ部２２と、を有する。
容器２に入れられている内容物は、特に限定されず、ジュースやサイダーなどの飲料、食用油や醤油などの調味料、液体洗剤や詰替え用シャンプーなどのサニタリー品、消毒用アルコールなどの医薬品、化粧品などが挙げられる。
容器２の胴部２１の外形は、特に限定されず、略円柱状、略楕円柱状、略四角柱状や略三角柱状などの略多角柱状、略円錐状や略三角錐状などの略錐状、略円錐台状や略四角錐台状などの略錐台状、略瓢箪形状、略だるま形状、及びこれらの形状が組み合わされた立体形状などでもよい。本明細書において、形状の「略」は、本発明の属する技術分野において許容される形状を意味する。例えば、四角などの多角に付加された「略」は、角部が面取りされている形状、辺の一部が僅かに膨らむ又は窪んでいる形状、辺が若干湾曲している形状などが含まれる。また、円や楕円に付加された略は、円弧の一部が膨らむ又は窪んでいる形状、円弧の一部が直線又は斜線とされた形状などが含まれる。
また、容器２の材質は、特に限定されず、合成樹脂、ガラス、陶器、金属などが挙げられる。
図示例では、炭酸飲料が充填された略円柱状の合成樹脂製胴部を有する容器２を表している。
【００１３】
熱収縮性筒状ラベル３は、容器２の胴部２１の一部分又は全部に装着されている。図示例では、容器２の胴部２１から肩部２３にかけて熱収縮性筒状ラベル３が装着されている。
なお、特に図示しないが、熱収縮性筒状ラベル３が胴部２１からキャップ部２２まで装着されていてもよい（このような装着形態は、フルシュリンクとも呼ばれる）。
【００１４】
また、必要に応じて、熱収縮性筒状ラベル３と容器２の間に、接着剤９が介在されていてもよい。接着剤９は、通常、熱収縮性筒状ラベル３と容器２の間の一部分に設けられる。接着剤９が熱収縮性筒状ラベル３の内面の全部に設けられていると、スライド開封困難となる。なお、本明細書において、接着剤９は、粘着剤も含まれる。
接着剤９は、溶剤揮発型などの乾燥型でもよいが、後述するように熱収縮性筒状ラベル３を容器２に装着する際の加熱によって接着でき且つ室内保管時に接着性を示さないことから、感熱接着剤が好ましい。感熱接着剤は、室温（２３℃）で接着性を示さず、加熱することによって接着性を発現する接着剤である。感熱接着剤は、従来公知のものを用いることができる。
【００１５】
炭酸飲料を入れた胴部２１を有する容器２は、キャップ部２２を開栓すると内圧が下がり、その結果、僅かに膨張していた胴部２１が縮むので、装着された熱収縮性筒状ラベル３が回転する可能性がある。この点、前記接着剤９を設けることにより、熱収縮性筒状ラベル３の回転を防止できる。よって、ここでの接着剤９は、熱収縮性筒状ラベル３の回り止め手段に相当する。
前記接着剤９は、ミシン目４から離れて設けられていることが好ましい。接着剤９がミシン目４に近すぎると、熱収縮性筒状ラベル３の外面に指を押し当ててずらそうとしても、そのずれに起因する引き裂き力が十分に作用しないおそれがあるからである。このような観点から、接着剤９は、接着剤９とミシン目４との間隔が２ｃｍ以上、好ましくは３ｃｍ〜５ｃｍとなるように配置されていることが好ましい。前記接着剤９とミシン目４の間隔は、接着剤９の縁とミシン目４との間の横方向長さを指し、縦方向において前記長さが異なる場合には、その最小値をいう。
【００１６】
熱収縮性筒状ラベル３は、その面内にミシン目４を有する。
ミシン目４は、複数の孔部と不切り部が交互に配置されて所定方向に延びる線からなり、例えば、縦方向に延設されている。ミシン目４は、熱収縮性筒状ラベル３の上縁から下縁まで設けられていてもよく、或いは、上縁又は下縁から縦方向中途部まで設けられていてもよく、或いは、上縁領域及び／又は下縁領域に部分的に設けられていてもよく、或いは、縦方向中途部の一部分に設けられていてもよい。また、ミシン目４と切り込み線（図示せず）が組合わされていてもよい。上縁３ａから下縁３ｂまで熱収縮性筒状ラベル３を容易に切り裂くことができることから、ミシン目４は、図１に示すように、熱収縮性筒状ラベル３の上縁３ａから下縁３ｂまで連続して設けられていることが好ましい。
なお、後述するように、容器装着前の熱収縮性筒状ラベルにあっては、ミシン目の全体が縦方向と平行に延線されているが、筒状ラベル付き容器１にあっては、装着された熱収縮性筒状ラベル３が容器２の外形に応じて変形するので、部分的に縦方向に対して傾斜して延設されることがある。例えば、図示例のように、容器２の胴部２１から肩部２３にかけて熱収縮性筒状ラベル３が装着されている場合には、胴部２１よりも縮径している肩部２３に対応するミシン目４は若干傾斜しながら延線される。
ミシン目４は、横方向に間隔を開けて２本設けられている。ただし、ミシン目４は、少なくとも１本設けられていればよく、３本以上設けられていてもよい。
２本のミシン目４が設けられる場合、その間隔（横方向における間隔）は特に限定されないが、例えば、５ｍｍ〜５０ｍｍである。
【００１７】
また、ミシン目４は、熱収縮性筒状ラベル３のシール部３１の近くに設けられていることが好ましい。シール部３１は、二重フィルム部分であって少しの段差を有するので、シール部３１に指を押し当てると指が滑り難くなり、スライド開封の際の引き裂き力がミシン目４に十分に作用するからである。このような観点から、ミシン目４は、シール部３１の横方向中心点から横方向に２ｃｍ〜５ｃｍ離れた範囲内に設けられていることが好ましい。
【００１８】
図２は、熱収縮性筒状ラベル３のミシン目４の状態を判り易くするために、その一部分（図１のＩＩ−ＩＩ’で挟まれた箇所）を拡大した正面図であり、図３及び図４は、ミシン目４の孔部４１を横断し、図２よりもさらに拡大した断面図であり、図５は、ミシン目４の孔部４１を縦断し、図２よりもさらに拡大した断面図である。なお、図２乃至図５において、第３縁部及びこれに連設する連設縁部と、第４縁部及びこれに連設する連設縁部と、が左右線対称に表されているが、熱収縮性筒状ラベル３は精密機器ではないので、実際にはこれらが全く同じ形状（線対称形）となっていることは稀で、左右で形状が若干相違していることに留意されたい。複数の孔部についても同様に、実際には全く同じ形状となることは稀である。
【００１９】
図２乃至図５を参照して、本発明においては、ミシン目４の孔部４１を形成する周縁部が、孔部４１の重心を通り且つミシン目４の延線方向で向かい合う第１縁部５１及び第２縁部５２と、前記孔部４１の重心を通り且つ前記延線方向と直交する方向で向かい合う第３縁部５３及び第４縁部５４と、を有し、第３縁部５３及び第４縁部５４の各肉厚が、第１縁部５１及び第２縁部５２の各肉厚よりも大きく、第３縁部５３及び第４縁部５４が、湾曲しつつ外側又は内側に突出されていることを特徴とする。
孔部４１の重心は、熱収縮性筒状ラベルの外面に対して鉛直方向から見たときの孔部４１の正面視形状（例えば、図２のような正面視形状）を基準にした重心をいう。
【００２０】
本実施形態では、孔部４１と不切り部４２が交互に配置されることによって画成される線の延びる方向（すなわち、ミシン目４の延線方向）は、縦方向であり、ミシン目４の延線方向と直交する方向は、横方向である。
また、ミシン目４の孔部４１は、熱収縮性筒状ラベル３の内外に貫通する空間をいう。孔部４１を形成する周縁部は、その孔部４１を画成しているラベル部分である。換言すると、無端環状の周縁部で囲われた範囲に、孔部４１が存在する。
孔部４１の正面視形状は、略楕円状又は略円形状であり、好ましくは、図２に示すように、略楕円状である。孔部４１が正面視略楕円状である場合、その長軸が、縦方向（ミシン目４の延線方向）に存在していてもよく、横方向（延線方向と直交する方向）に存在していてもよい。好ましくは、図示例のように、正面視略楕円状の孔部４１の長軸は、縦方向に存在する。
【００２１】
図２を参照して、ミシン目４の孔部４１の縦方向長さＬ４１（延設方向長さ）は、例えば、０．１ｍｍ〜３．０ｍｍであり、好ましくは、０．１ｍｍ〜１．０ｍｍである。不切り部４２の縦方向長さＬ４２（延設方向長さ）は、例えば、０．０８ｍｍ〜１．５ｍｍであり、好ましくは、０．１ｍｍ〜０．５ｍｍである。ミシン目４の孔部４１の縦方向長さＬ４１は、不切り部４２の縦方向長さＬ４２よりも大きいことが好ましい。
孔部４１の長さが大きすぎ且つ不切り部４２の長さが小さすぎると、ミシン目４から熱収縮性筒状ラベル３が不用意に破断するおそれがあり、孔部４１の長さが小さすぎ且つ不切り部４２の長さが大きすぎると、スライド開封を容易にできないおそれがある。
ミシン目４の孔部４１の横方向長さＷ４１（延設方向と直交する方向の長さ）は、特に限定されず、例えば、０．１ｍｍ〜３．０ｍｍである。
【００２２】
孔部４１を形成する周縁部は、第１縁部５１、第２縁部５２、第３縁部５３、第４縁部５４及び４つの連設縁部５５から構成される。換言すると、第１縁部５１、第２縁部５２、第３縁部５３、第４縁部５４及び４つの連設縁部５５は、それぞれ周縁部の一部分であり、それらの縁部５１，５２，５３，５４，５５が連続して周縁部を構成する。
図６は、第１縁部５１、第２縁部５２、第３縁部５３、第４縁部５４及び４つの連設縁部５５の位置関係を明らかにするために、参考的に表した孔部の拡大正面図である。
図６を参照して、第１縁部５１と第２縁部５２は、孔部４１の重心Ｏを通り且つ縦方向（ミシン目４の延線方向）の仮想線Ｘを引いたときに、その仮想線Ｘが交わる点を含む縁部である。第１縁部５１と第２縁部５２は、縦方向で向かい合っている。なお、図６に、第１縁部５１と第２縁部５２に、網掛けを付している。第３縁部５３と第４縁部５４は、孔部４１の重心Ｏを通り且つ横方向（延線方向と直交する方向）の仮想線Ｙを引いたときに、その仮想線Ｙが交わる点を含む縁部である。第３縁部５３と第４縁部５４は、横方向で向かい合っている。なお、図６に、第３縁部５３と第４縁部５４に、斜線を付している。連設縁部５５は、４箇所である。１つの連設縁部５５は、第１縁部５１と第３縁部５３のそれぞれに連続した縁部、もう１つの連設縁部５５は、第１縁部５１と第４縁部５４のそれぞれに連続した縁部、もう１つの連設縁部５５は、第２縁部５２と第３縁部５３のそれぞれに連続した縁部、もう１つの連設縁部５５は、第２縁部５２と第４縁部５４のそれぞれに連続した縁部である。
【００２３】
図２乃至図５に戻り、第３縁部５３の肉厚Ｔ５３及び第４縁部５４の肉厚Ｔ５４は、第１縁部５１の肉厚Ｔ５１及び第２縁部５２の肉厚よりも大きい。なお、前記各肉厚は、各縁部の肉厚が最大となっている箇所の値をいう。各連設縁部５５の肉厚は、第３縁部５３及び第４縁部５４に向かうに従って漸増し、反対に、第１縁部５１及び第２縁部５２に向かうに従って漸減している。従って、周縁部の中で、第３縁部５３及び第４縁部５４の肉厚が最も大きく、第１縁部５１及び第２縁部５２の肉厚が最も小さい。
なお、「漸減」は、次第に小さくなることを意味し、「漸増」は、次第に大きくなることを意味する。
第３縁部５３の肉厚及び第４縁部５４の肉厚は、それぞれ独立して、不切り部４２の肉厚（熱収縮性フィルムの肉厚に略等しい）の１．１倍〜２．０倍であり、好ましくは、１．５倍〜１．８倍である。第１縁部５１の肉厚及び第２縁部５２の肉厚は、不切り部４２の肉厚と略同じ又はそれよりも僅かに大きい程度であることが好ましく、それぞれ独立して、不切り部４２の肉厚の１倍〜１．１倍であり、好ましくは１．０１倍〜１．０５倍である。第１乃至第４縁部５４が前記厚み差を有することにより、スライド開封の際にミシン目４に沿って熱収縮性筒状ラベル３を引き裂くことができる。
なお、前記不切り部４２の肉厚は、不切り部４２の縦方向中点における肉厚を採用するものとする。また、後述するように第３縁部５３及び第４縁部５４は湾曲しているので、第３縁部５３の肉厚Ｔ５３及び第４縁部５４の肉厚Ｔ５４は、その湾曲に従い、図３に示すような箇所の肉厚とする。
【００２４】
図３を参照して、第３縁部５３及び第４縁部５４の先端外形は、概ね弧状に形成されている。特に、第３縁部５３及び第４縁部５４の各先端下部５３ｂ，５４ｂの外形は、弧状に形成され、第３縁部５３及び第４縁部５４の各先端上部５３ａ，５４ａの外形は、やや山型に尖った部分を有しつつ全体として弧状に形成されている。
【００２５】
詳しくは、第３縁部５３の内面及び第４縁部５４の内面は、それぞれ断面視弧状に形成されている。前記第３縁部５３の内面は、第３縁部５３の内側基部５３ｄ（熱収縮性筒状ラベルの平滑な内面と第３縁部５３の境界部分）から先端下部５３ｂまでの面を指し、第４縁部５４の内面は、第４縁部５４の内側基部５４ｄ（熱収縮性筒状ラベルの平滑な内面と第４縁部５４の境界部分）から先端下部５４ｂまでの面を指す。
第３縁部５３の外面及び第４縁部５４の外面も、断面視弧状に形成されている。前記第３縁部５３の外面は、第３縁部５３の外側基部５３ｃ（熱収縮性筒状ラベルの平滑な外面と第３縁部５３の境界部分）から先端上部５３ａまでの面を指し、第４縁部５４の外面は、第４縁部５４の外側基部５４ｃ（熱収縮性筒状ラベルの平滑な外面と第４縁部５４の境界部分）から先端上部５４ａまでの面を指す。
第３縁部５３及び第４縁部５４の各内面の曲がり度合いは、第３縁部５３及び第４縁部５４の各外面の曲がり度合いよりも小さくなっている。また、第３縁部５３の厚み面（先端上部５３ａと先端下部５３ｂの間の面）及び第４縁部５４の厚み面（先端上部５４ａと先端下部５４ｂの間の面）は、孔部側に膨らんだ弧状に形成されている。
【００２６】
ただし、第３縁部５３及び第４縁部５４の先端下部５３ｂ，５４ｂ及び先端上部５３ａ，５４ａが弧状に形成されていることを条件として、例えば、図１３（ａ）に示すように、第３縁部５３の厚み面（先端上部５３ａと先端下部５３ｂの間の面）及び第４縁部５４の厚み面（先端上部５４ａと先端下部５４ｂの間の面）が、断面視直線傾斜状に形成されれていてもよく、或いは、図１３（ｂ）に示すように、第３縁部５３の厚み面及び第４縁部５４の厚み面が、孔部と反対側に膨らんだ弧状に形成されていてもよい。
【００２７】
図５を参照して、第１縁部５１及び第２縁部５２の各先端下部５１ｂ，５２ｂの外形は、直角状に形成され、第１縁部５１及び第２縁部５２の各先端上部５１ａ，５２ａの外形は、直角状に形成されている。各連設縁部５５の外形は、第３縁部５３及び第４縁部５４に向かうに従って第３縁部５３及び第４縁部５４の形状に変化していき、反対に、第１縁部５１及び第２縁部５２に向かうに従って第１縁部５１及び第２縁部５２の形状に変化していく。
【００２８】
図３乃至図５を参照して、第３縁部５３及び第４縁部５４は、湾曲しつつ外側に突出されている。外側は、熱収縮性筒状ラベル３の容器接触面とは反対側を指す。他方、第１縁部５１及び第２縁部５２は、湾曲及び突出することなく、不切り部４２と同一レベルにある。同一レベルとは、不切り部４２の厚み方向中点を通り且つ不切り部４２の外面と平行な仮想直線を引いたときに、第１縁部５１及び第２縁部５２の厚み方向中点がほぼ交わることをいう。なお、前記仮想直線は、湾曲しつつ突出されている第３縁部５３及び第４縁部５４の厚み方向中点には交わらない。
このように第３縁部５３及び第４縁部５４が湾曲しつつ外側に突出されていることにより、スライド開封時に、第３縁部５３及び第４縁部５４にて破断せず、第１縁部５１及び第２縁部５２にて破断するようになる。
また、各連設縁部５５も、湾曲しつつ第３縁部５３及び第４縁部５４と同じ側（図示例の場合、外側）に突出されている。第３縁部５３及び第４縁部５４と第１縁部５１及び第２縁部５２に連設されている各連設縁部５５は、その湾曲度合い及び突出量が前記第１縁部５１及び第２縁部５２に向かうに従って漸減されている。
【００２９】
［筒状ラベル付き容器の製法］
本発明の筒状ラベル付き容器１は、熱収縮性筒状ラベルを容器に外嵌し、加熱して熱収縮させることによって得られる。
容器２としては、上述のようなものが挙げられる。
熱収縮性筒状ラベルは、例えば、下記のようなものが用いられる。なお、この製法欄で説明する熱収縮性筒状ラベルは、容器装着前の状態、つまり熱収縮させる前のものである。以下、容器装着前の熱収縮性筒状ラベルを「未収縮筒状ラベル」という。
【００３０】
未収縮筒状ラベル７は、図７及び図８に示すように、熱収縮性フィルム７７の一方向（主熱収縮方向）を周方向として筒状にし、その一方の側端部７８を他方の側端部７９に重ね合わせて接着することにより、シール部７１が形成された筒状体である。側端部７８と側端部７９の接着方法としては、溶剤接着、接着剤による接着、テープ貼りなどが挙げられる。
なお、図７及び図８では、未収縮筒状ラベル７を扁平状に折り畳んだ状態を表している。扁平状の未収縮筒状ラベル７は、容器に装着する直前に筒状に開かれる。
熱収縮性フィルム７７は、例えば７０℃〜１００℃のような所望温度に加熱されると、少なくとも一方向（主たる熱収縮方向）に熱収縮する性質を有する。かかる性質を本明細書で熱収縮性という。また、熱収縮性フィルム７７は、他方向（他方向は、フィルム面内で前記一方向に直交する方向）にも若干熱収縮又は熱伸張するものでもよい。熱収縮性フィルム７７の熱収縮率（未収縮筒状ラベル７の熱収縮率に略等しい）は、特に限定されず、例えば、９０℃に加熱した際の一方向における熱収縮率は、２０％以上であり、好ましくは３０％以上であり、より好ましくは４０％以上であり、さらに好ましくは５０％以上である。なお、熱収縮性フィルム７７が他方向にも若干熱収縮又は熱伸張する場合、その９０℃に加熱した際の他方向における熱収縮率は、例えば、−３％〜１５％である。前記他方向の熱収縮率のマイナスは、熱伸張を意味する。
熱収縮率は、加熱前（標準状態（２３℃、１気圧、５０％ＲＨ雰囲気下）で２４時間保存）のフィルムの長さ（元の長さ）と、９０℃温水中に１０秒間浸漬して取り出した後のフィルムの長さ（浸漬後の長さ）と、をそれぞれ標準状態下で計測し、下記式に代入して求められる。なお、各フィルムの長さは、標準状態下で計測する。
熱収縮率（％）＝［｛（一方向（又は他方向）の元の長さ）−（一方向（又は他方向）の浸漬後の長さ）｝／（一方向（又は他方向）の元の長さ）］×１００。
【００３１】
熱収縮性フィルム７７は、特に限定されず、代表的には、熱可塑性合成樹脂フィルムが挙げられる。
例えば、熱収縮性フィルム７７としては、ポリスチレンなどのポリスチレン系樹脂、ポリエチレンテレフタレート、ポリ乳酸などのポリエステル系樹脂、ポリプロピレン、環状オレフィンなどのポリオレフィン系樹脂、ポリカーボネート、塩化ビニル系樹脂などの熱可塑性樹脂からから選ばれる１種単独、又は２種以上の混合物などを含むフィルムを用いることができる。熱収縮性フィルム７７として、２種以上のフィルムが積層され且つ一体化された積層フィルムなどを用いてもよい。フィルムは公知の製法で製膜し、延伸し、熱エージング処理することにより熱収縮性を付与できる。
熱収縮性フィルム７７の厚みは、特に限定されず、例えば、１０μｍ〜１００μｍであり、好ましくは、１５μｍ〜８０μｍであり、より好ましくは、２０μｍ〜５０μｍである。
熱収縮性フィルム７７は、透明又は不透明のいずれでもよいが、内面側にデザイン印刷層が設けられる場合には、透明なものが用いられる。前記熱収縮性フィルム７７における透明は、有色透明又は無色透明を含む。好ましくは、無色透明の熱収縮性フィルム７７が用いられる。
なお、特に図示しないが、熱収縮性フィルム７７には、所望のデザインが表されたデザイン印刷層；遮光性を付与するための遮光印刷層；熱収縮性フィルム７７の外面に設けられる表面保護印刷層；熱収縮性フィルム７７の内面に設けられる滑り印刷層；などの各種の機能層が設けられていてもよい。
これらの印刷層のうち少なくとも１つが設けられる場合、その印刷層を熱収縮性フィルム７７の内面に設けることが好ましく、特に、少なくとも擬似ミシン目が形成された領域の内面に設けることがより好ましい。印刷層を熱収縮性フィルム７７の内面のうち擬似ミシン目形成領域に少なくとも設けることによって、熱収縮性フィルム７７の厚み方向において、熱収縮性フィルム７７は、内側よりも外側に僅かに収縮し易くなる。このため、上記のような外側に湾曲した第３縁部５３及び第４縁部５４を形成し易くなる。
【００３２】
未収縮筒状ラベル７の周長は、例えば、容器の装着部位の最大周長×１．０３倍〜最大周長×１．３倍であり、好ましくは前記最大周長×１．０５倍〜最大周長×１．２倍である。
未収縮筒状ラベル７の内面には、容器に部分接着させるための接着剤９７が設けられている。なお、この接着剤９７は、容器に設けてもよい。容器と未収縮筒状ラベル７の間に介在して両者を接着する接着剤９７は、容器及び未収縮筒状ラベル７の少なくともいずれか一方の所定位置に設ければよい。
【００３３】
未収縮筒状ラベル７には、擬似ミシン目８が形成されている。擬似ミシン目８は、未収縮筒状ラベル７の上縁７ａから下縁７ｂにまで縦方向に延びて設けられている。擬似ミシン目８の本数は、特に限定されず、少なくとも１本設けられる。図示例では、擬似ミシン目８は２本設けられている。
擬似ミシン目８は、複数の未収縮凹部８１と未収縮不切り部８２が交互に配置されて所定方向（延線方向）に延びる線からなる。
未収縮凹部８１は、図９及び図１０に示すように、未収縮筒状ラベル７に貫通しない凹みである。図示例では、未収縮凹部８１は、外側に開口している。未収縮凹部８１は、例えば、断面視で略Ｖ字状の凹みである。Ｖ字状の未収縮凹部８１の開口度合いは、未収縮筒状ラベル７の外面側から内面側に向けて次第に小さくなっている。
未収縮凹部８１の底部分には、未収縮筒状ラベル７の左部７ｃ及び右部７ｄに分ける境界線Ｚが形成されている。この境界線Ｚは、概ね未収縮筒状ラベル７の肉厚の１／５倍〜１／２倍程度で厚み方向に延在している。
左部７ｃと右部７ｄは、（１）境界線Ｚで切断され且つ境界線Ｚを界面として当接している、或いは、（２）境界線Ｚにおいて切断されていないが、右部７ｄ及び左部７ｃを構成するフィルム材料（主として上記合成樹脂）が材料破壊を起して非常に脆くなり、少しの力で境界線Ｚに沿って分離できる状態となっている。
このような未収縮凹部８１は、例えば、ダイカット、カッターなどの機械的切断手段を用いて形成できる。
【００３４】
未収縮凹部８１及び未収縮不切り部８２の長さは、上記ミシン目４の孔部４１及び不切り部４２の寸法を考慮して設定される。
例えば、未収縮凹部８１の縦方向長さ（延設方向長さ）は、例えば、０．１ｍｍ〜２．０ｍｍであり、好ましくは、０．１ｍｍ〜１．０ｍｍである。未収縮不切り部８２の縦方向長さ（延設方向長さ）は、例えば、０．１ｍｍ〜２．０ｍｍであり、好ましくは、０．２ｍｍ〜０．６ｍｍである。また、未収縮凹部８１の横方向長さ（延設方向と直交する方向の長さ）は、例えば、０．０５ｍｍ〜０．２ｍｍである。
【００３５】
上記未収縮筒状ラベル７を筒状に開き、容器２の外側に被せ、例えば７０℃〜１００℃に加熱し、未収縮筒状ラベル７を十分に熱収縮させることによって、図１乃至図５に示すような筒状ラベル付き容器１が得られる。
未収縮筒状ラベル７が主として横方向（周方向）に収縮すると、未収縮凹部８１（外側に開口した未収縮凹部８１）が拡張し、その未収縮凹部８１が変化することによって、図２乃至図５に示すような孔部４１が形成される。
良好な孔部４１を形成するために、未収縮筒状ラベル７を横方向に少なくとも熱収縮率５％以上熱収縮させることが好ましい。容器の装着部位の最大周長を考慮して、未収縮筒状ラベル７の周長を設定することにより、前記最大周長部位において熱収縮率５％以上に熱収縮させることができ、全体に亘って良好な孔部４１を有するミシン目４が得られる。
【００３６】
［筒状ラベル付き容器の使用］
本発明の筒状ラベル付き容器１は、内容物を消費した後には、通常廃棄される。
リサイクルの観点から、熱収縮性筒状ラベル３と容器２を分離することが望ましい。本発明の筒状ラベル付き容器１は、図１１に示すように、熱収縮性筒状ラベル３の外面に片方の指を押し当て、熱収縮性筒状ラベル３を伴いながらその面に沿って横方向又は横斜め方向に指をずらすと、熱収縮性筒状ラベル３がミシン目４に沿って極めて簡単に破断する。
【００３７】
熱収縮性筒状ラベル３を伴うようにしながら指をスライドさせると、熱収縮性筒状ラベル３の面内に引き裂き力（剪断力）が加わる。上記のように孔部４１の第３縁部５３及び第４縁部５４の各肉厚が、第１縁部５１及び第２縁部５２の各肉厚よりも大きいので、第１縁部５１及び第２縁部５２の方が切断され易い。これに加えて、第３縁部５３及び第４縁部５４が湾曲しつつ突出されているので、引き裂き力が第３縁部５３及び第４縁部５４にスポット的に集中し難くなり、その分、第１縁部５１及び第２縁部５２に引き裂き力が集中するようになる。このため、第３縁部５３及び第４縁部５４に亀裂が生じない一方で、第１縁部５１及び第２縁部５２から亀裂が生じ、これが不切り部４２を切断して隣接する孔部４１の第１縁部５１及び第２縁部５２に連鎖的に生じるので、ミシン目４に沿って簡単に破断するようになる。
さらに、第１縁部５１及び第２縁部５２の各肉厚が、それぞれ不切り部４２の肉厚と略同じとされているので、第１縁部５１及び第２縁部５２から生じた亀裂に起因して、不切り部４２が縦方向（延線方向）に裂け易くなる。
また、第３縁部５３と第１縁部５１などの間には、各連設縁部５５が連設されており、この連設縁部５５も湾曲しつつ突出されているので、第３縁部５３及び第４縁部５４と同様に、連設縁部５５から亀裂が生じ難くなっている。
【００３８】
なお、本実施形態では、熱収縮性筒状ラベル３が接着剤９を介して容器２に部分接着されているので、熱収縮性筒状ラベル３が空回りすることがなく、従って、片方の手の指で容易にスライド開封できる。もちろん、片方の手の指ともう片方の手の指を、ミシン目４を挟んで押し当てて、両指を相反する方向にずらしてもミシン目４に沿って熱収縮性筒状ラベル３が極めて簡単に破断する。
【００３９】
［変形例］
上記実施形態では、回り止め手段として、熱収縮性筒状ラベル３を接着剤９にて容器２に部分接着しているが、例えば、図１２に示すように、一部分に突部を有する容器２に熱収縮性筒状ラベル３を装着した筒状ラベル付き容器１であってもよい。
図示例の筒状ラベル付き容器１は、胴部２１及びキャップ部２２を有する容器２と、容器２の少なくともキャップ部２２に装着された熱収縮性筒状ラベル３と、を有する。キャップ部２２の一部分には、例えば、指掛け用の舌部２４が径外方向に突出されており、この部分的に突出された舌部２４が、突部に相当する。
熱収縮性筒状ラベル３は、容器２の突部に装着された部分が非円形となり、一方、容器２の突部以外に装着された部分が略円形となっている。突部に装着された部分を有するので、熱収縮性筒状ラベル３が空回りすることがない。この変形例では、容器２の突部が回り止め手段に相当する。
【００４０】
なお、容器２の装着部位（熱収縮性筒状ラベル３を装着する部分）が横断面略円形状の場合には、空回りのおそれがあるが、装着部位が横断面略四角形状などの非円形状の場合には、熱収縮性筒状ラベル３が空回りし難く、その場合には、回り止め手段を具備させる必要性はなくなる。また、上述のように、本発明の筒状ラベル付き容器１は、両方の指でスライド開封すれば、ミシン目４に沿って簡単に破断するので、装着部位が横断面略円形状の場合でも、回り止め手段を具備させなくてもよい。
【００４１】
なお、上記実施形態では、ミシン目４の第３縁部５３及び第４縁部５４並びに各連設縁部５５は、外側に突出されているが、これに限定されず、内側に突出されていてもよい。内側は、外側とは反対側であって、熱収縮性筒状ラベル３の容器接触面側を指す。内側に湾曲しながら突出された第３縁部５３及び第４縁部５４並びに各連設縁部５５は、上記実施形態とは反対に、未収縮凹部８１を内側に開口させた未収縮筒状ラベル７を容器に熱収縮装着することによって得られる。
もっとも、内側に突出させた場合、経時的に第３縁部５３及び第４縁部５４並びに各連設縁部５５の突出量が低下するおそれがあるので、外側に突出させることが好ましい。
【００４２】
また、熱収縮性筒状ラベル３の外面に、指の滑りを抑制する、滑り止め処理面を設けてもよい。滑り止め処理面は、熱収縮性筒状ラベル３の外面のうち、指が当てられる箇所に少なくとも設けることが好ましい。指が当てられる箇所は、例えば、ミシン目４から横方向に２ｃｍ〜５ｃｍ程度離れた範囲であって少なくとも指先同大範囲である。
滑り止め処理面は、熱収縮性筒状ラベルの他の外面（滑り止め印刷層が無い部分）に比べて摩擦力が大きくなった面をいう。滑り止め処理面としては、熱収縮性筒状ラベルの外面の所定範囲にマット印刷層や微粘着層などを設けることによって形成できる。また、熱収縮性フィルムの種類によっては、そのフィルムの外面そのものを滑り止めとすることもできる。
【符号の説明】
【００４３】
１  筒状ラベル付き容器
２  容器
３  熱収縮性筒状ラベル
４  ミシン目
４１  ミシン目の孔部
４２  ミシン目の不切り部
５１  第１縁部
５２  第２縁部
５３  第３縁部
５４  第４縁部
５５  連設縁部
【図１】
2020050431.tif 000003
【図２】
2020050431.tif 000004
【図３】
2020050431.tif 000005
【図４】
2020050431.tif 000006
【図５】
2020050431.tif 000007
【図６】
2020050431.tif 000008
【図７】
2020050431.tif 000009
【図８】
2020050431.tif 000010
【図９】
2020050431.tif 000011
【図１０】
2020050431.tif 000012
【図１１】
2020050431.tif 000013
【図１２】
2020050431.tif 000014
【図１３】
2020050431.tif 000015